(57)【要約】【課題】使用者が浴室換気乾燥暖房装置４内の吸気口フィルター８掃除することなく浴室２内の空気の吸引能力を元に戻すことができる浴室換気乾燥暖房装置４を提供することを目的としている。【解決手段】浴室換気乾燥暖房装置４内の吸気口フィルター８付近に自動掃除装置１２を配置し、制御手段１１により換気運転中に自動掃除装置１２を動作させることにより、使用者が吸気口フィルター８およびゴミに触れることなく、外へゴミを排出できる。【選択図】図１
2008082603.tif 000002
【特許請求の範囲】
【請求項１】
浴室を換気あるいは／および乾燥あるいは／および暖房する浴室換気乾燥暖房装置において、埃や塵等のフィルターに蓄積されたゴミを自動で掃除できる自動掃除装置を備えることを特徴とした浴室換気乾燥暖房装置。
【請求項２】
埃や塵等の蓄積されたゴミを一箇所に集め外に排出するゴミ排出手段を備えたことを特徴とする請求項１記載の浴室換気乾燥暖房装置。
【請求項３】
ゴミを自動で掃除する自動掃除運転後に換気運転をすることにより、埃や塵等の蓄積されたゴミを外に排出する換気排出機能を備えたことを特徴とする請求項１または２に記載の浴室換気乾燥暖房装置。
【請求項４】
ゴミを自動で掃除する自動掃除運転に移行したらダクト配管内に埃や塵等のゴミが残らないように、一定時間換気運転を継続する換気継続機能を備えたことを特徴とする請求項１から３のいずれかに記載の浴室換気乾燥暖房装置。
【請求項５】
換気運転前または換気運転中に自動掃除運転に移行する自動移行機能を備え、使用者の特別な操作なしに自動で自動掃除運転へ移行することを特徴とする請求項１から４のいずれかに記載の浴室換気乾燥暖房装置。
【請求項６】
フィルターに埃や塵等のゴミが蓄積したことを検知するフィルター目詰まり検知手段を備え、フィルターへの埃や塵等のゴミの蓄積度合いにより自動で自動掃除運転へ移行することを特徴とする請求項１から５のいずれかに記載の浴室換気乾燥暖房装置。
【請求項７】
空気を循環する循環手段または換気手段あるいは循環手段と換気手段の両方の動作時間を積算する機能を備え、各々の手段の動作時間よりフィルターへの埃や塵等のゴミの蓄積度合いを推定し判断し自動で自動掃除運転へ移行することを特徴とする請求項１から５のいずれかに記載の浴室換気乾燥暖房装置。
【請求項８】
自動掃除運転に移行する掃除運転移行手段を備えたことを特徴とする請求項１から７のいずれかに記載の浴室換気乾燥暖房装置。
【請求項９】
自動掃除運転に移行する前に乾燥運転を行う自動掃除前乾燥機能を備え、フィルターへの埃や塵等のゴミを乾燥させてから自動掃除運転することを特徴とする請求項１から８のいずれかに記載の浴室換気乾燥暖房装置。
【請求項１０】
浴室内あるいはフィルター周辺の湿度を検知する湿度検知手段を備え、フィルターへの埃や塵等のゴミの湿気状態により乾燥運転時間を短縮することを特徴とする請求項１から９のいずれかに記載の浴室換気乾燥暖房装置。
【請求項１１】
自動掃除運転中は強制的に循環手段を動かない掃除中循環手段停止機能を備え、浴室内への埃や塵等のゴミの排出を防止することを特徴とする請求項１から１０のいずれかに記載の浴室換気乾燥暖房装置。
【請求項１２】
使用者が認知できる位置に自動掃除運転中であることを知らせる運転中お知らせ手段を備え、自動掃除運転中であることを使用者に知らせることを特徴とする請求項１から１１のいずれかに記載の浴室換気乾燥暖房装置。
【発明の詳細な説明】
【技術分野】
【０００１】
浴室換気乾燥暖房装置に関するものである。
【背景技術】
【０００２】
浴室換気乾燥暖房装置において、長時間の使用により浴室換気乾燥暖房装置内フィルターに埃や塵等のゴミが蓄積することにより、通風抵抗が増加し換気能力や乾燥能力および暖房能力を低下させるまたは、通風抵抗が増加する前の状態と同能力を出すために浴室換気乾燥暖房装置の出力を上げ電気を無駄に使用することは重大な課題である。従来より、浴室換気乾燥暖房装置において、使用者にフィルターの掃除を促してきた（特許文献１参照）。
【特許文献１】特開２００４−３０１４４７号公報
【発明の開示】
【発明が解決しようとする課題】
【０００３】
このような従来の浴室換気乾燥暖房装置では、長時間の使用により浴室換気乾燥暖房装置内フィルターに埃や塵等のゴミが蓄積し、浴室内空気の吸引能力を低下させるという課題がある。本発明は、このような従来の課題を解決するものであり、使用者が浴室換気乾燥暖房装置内フィルター掃除することなく浴室内空気の吸引能力を元に戻すことができる浴室換気乾燥暖房装置を提供することを目的としている。
【課題を解決するための手段】
【０００４】
本発明の浴室換気乾燥暖房装置は、上記目標を達成するため、埃や塵等のフィルターに蓄積されたゴミを自動で掃除できる自動掃除装置を備えることを特徴とする。そして、本発明によれば使用者がフィルター掃除することなく浴室内空気の吸引能力を元に戻すことができる浴室換気乾燥暖房装置が得られる。
【０００５】
また請求項２記載の発明は、埃や塵等の蓄積されたゴミを一箇所に集め外に排出するゴミ排出手段を備えたことを特徴とする。そして、本発明によれば、埃や塵等のフィルターに蓄積されたゴミを自動で掃除できる自動掃除運転後に浴室換気乾燥暖房装置内に蓄積された埃や塵等のゴミを外に排出することができる浴室換気乾燥暖房装置が得られる。
【０００６】
また請求項３記載の発明は、埃や塵等のフィルターに蓄積されたゴミを自動で掃除する自動掃除運転後に、浴室内の空気の換気を行う換気運転をすることにより、蓄積された埃や塵等のゴミを外に排出する換気排出機能を備えたことを特徴とする。そして、本発明によれば、自動掃除運転後に浴室換気乾燥暖房装置内に蓄積された埃や塵等のゴミを自動で外に排出することができる浴室換気乾燥暖房装置が得られる。
【０００７】
また請求項４記載の発明は、自動掃除運転に移行したら一定時間浴室内の空気の換気を行う換気運転を継続する換気継続機能を備えたことを特徴とする。そして、本発明によればダクト配管内に埃や塵等のゴミが残らないように排出することができる浴室換気乾燥暖房装置が得られる。
【０００８】
また請求項５記載の発明は、浴室内の空気の換気を行う換気運転前または換気運転中に自動掃除運転に移行する自動移行機能を備えたことを特徴とする。そして、本発明によれば使用者の特別な操作ないしに自動で自動掃除運転に移行することができる浴室換気乾燥暖房装置が得られる。
【０００９】
また請求項６記載の発明は、フィルターに埃や塵等のゴミが蓄積したことを検知するフィルター目詰まり検知手段を備えたことを特徴とする。そして、本発明によればフィルターへの埃や塵等のゴミの蓄積度合いにより自動で自動掃除運転に移行することができる浴室換気乾燥暖房装置が得られる。
【００１０】
また請求項７記載の発明は、空気を循環する循環手段または浴室内の空気の換気を行う換気手段あるいは循環手段と換気手段の両方の動作時間を積算する機能を備えたことを特徴とする。そして、本発明によればフィルター目詰まり検知手段が不要で安価に、フィルターへの埃や塵等のゴミの蓄積度合いを推定し自動で自動掃除運転に移行することができる浴室換気乾燥暖房装置が得られる。
【００１１】
また請求項８記載の発明は、自動掃除運転に移行する掃除運転移行手段を備えたことを特徴とする。そして、本発明によれば使用者の任意で自動掃除運転に移行することができる浴室換気乾燥暖房装置が得られる。
【００１２】
また請求項９記載の発明は、自動掃除運転に移行する前に乾燥運転を行う自動掃除前乾燥機能を備えたことを特徴とする。そして、本発明によればフィルターへの埃や塵等のゴミを乾燥させてから自動掃除運転運転に移行することができる浴室換気乾燥暖房装置が得られる。
【００１３】
また請求項１０記載の発明は、浴室内あるいはフィルター周辺の湿度を検知する湿度検知手段を備えたことを特徴とする。そして、本発明によればフィルターへの埃や塵等のゴミの湿気状態により乾燥運転時間を短縮することができる浴室換気乾燥暖房装置が得られる。
【００１４】
また請求項１１記載の発明は、自動掃除運転中は強制的に循環手段を動かない掃除中循環手段停止機能を備えたことを特徴とする。そして、本発明によれば浴室内への埃や塵等のゴミの排出を防止できる浴室換気乾燥暖房装置が得られる。
【００１５】
また請求項１２記載の発明は、使用者が認知できる位置に自動掃除運転中であることを知らせる運転中お知らせ手段を備えたことを特徴とする。そして、本発明によれば使用者に自動掃除運転中であることを知らせることができる浴室換気乾燥暖房装置が得られる。
【発明の効果】
【００１６】
本発明によれば、自動掃除装置を備え、自動でフィルター掃除できることを特徴とした浴室換気乾燥暖房装置を備えることにより、使用者がフィルター掃除することなく浴室内空気の吸引能力を元に戻し、常に効率のよい運転ができることにより、電気代を安くできるという効果のある浴室換気乾燥暖房装置を提供できる。
【００１７】
また、埃や塵等の蓄積されたゴミを一箇所に集め外に排出するゴミ排出手段を備え、浴室換気乾燥暖房装置内に蓄積された埃や塵等のゴミを外に排出することができることを特徴とした浴室換気乾燥暖房装置を備えることにより、蓄積された埃や塵等のゴミが浴室換気乾燥暖房装置内に残ることない、使用者がフィルター掃除することなく浴室内空気の吸引能力を元に戻し、常に効率のよい運転ができることにより、電気代を安くできるという効果のある浴室換気乾燥暖房装置を提供できる。
【００１８】
また、埃や塵等のフィルターに蓄積されたゴミを自動で掃除する自動掃除運転後に、浴室内の空気の換気を行う換気運転をすることにより、蓄積された埃や塵等のゴミを外に排出する換気排出機能を備え、自動で蓄積された埃や塵等のゴミを排出できることを特徴とした浴室換気乾燥暖房装置を備えることにより、使用者がゴミに触れることのない、使用者が掃除することなく浴室内空気の吸引能力を元に戻し、常に効率のよい運転ができることにより、電気代を安くできるという効果のある浴室換気乾燥暖房装置を提供できる。
【００１９】
また、埃や塵等のフィルターに蓄積されたゴミを自動で掃除する自動掃除運転に移行したら一定時間浴室内の空気の換気を行う換気運転を継続する換気継続機能を備え、ダクト配管内に埃や塵等のゴミが残ることなく外に排出できることを特徴とした浴室換気乾燥暖房装置を備えることにより、ダクト配管内のゴミ詰まりによる通風抵抗の上昇のない、使用者が掃除することなく浴室内空気の吸引能力を元に戻し、常に効率のよい運転ができることにより、電気代を安くできるという効果のある浴室換気乾燥暖房装置を提供できる。
【００２０】
また、浴室内の空気の換気を行う換気運転前または換気運転中に自動掃除運転に移行する自動移行機能を備え、使用者の特別な操作なしに埃や塵等のゴミを自動で排出できることを特徴とした浴室換気乾燥暖房装置を備えることにより、使用者の特別な操作が必要でない、使用者が掃除することなく浴室内空気の吸引能力を元に戻し、常に効率のよい運転ができることにより、電気代を安くできるという効果のある浴室換気乾燥暖房装置を提供できる。
【００２１】
また、フィルターに埃や塵等のゴミが蓄積したことを検知するフィルター目詰まり検知手段を備え、フィルターへの埃や塵等のゴミの蓄積度合いにより自動で自動掃除運転に移行することができることを特徴とした浴室換気乾燥暖房装置を備えることにより、無駄に自動掃除装置を動作させることない、使用者が掃除することなく浴室内空気の吸引能力を元に戻し、常に効率のよい運転ができることにより、電気代を安くできるという効果のある浴室換気乾燥暖房装置を提供できる。
【００２２】
また、浴室内の空気を循環する循環手段または浴室内の空気の換気を行う換気手段あるいは循環手段と換気手段の両方の動作時間を積算する機能を備え、フィルターへの埃や塵等のゴミの蓄積度合いを推定し自動で自動掃除運転に移行することができることを特徴とした浴室換気乾燥暖房装置を備えることにより、フィルター目詰まり検知手段が不要で安価に、無駄に自動掃除装置を動作させることない、使用者が掃除することなく浴室内空気の吸引能力を元に戻し、常に効率のよい運転ができることにより、電気代を安くできるという効果のある浴室換気乾燥暖房装置を提供できる。
【００２３】
また、自動掃除運転に移行掃除運転移行手段を備えたことを特徴とした浴室換気乾燥暖房装置により、使用者が必要と判断した時のみ自動掃除運転に移行することにより無駄に自動掃除装置を動作させることのない、使用者が掃除することなく浴室内空気の吸引能力を元に戻し、常に効率のよい運転ができることにより、電気代を安くできるという効果のある浴室換気乾燥暖房装置を提供できる。
【００２４】
また、自動掃除運転に移行する前に乾燥運転を行う機能を備え、フィルターへの埃や塵等のゴミを乾燥させてから自動掃除運転に移行することができることを特徴とした浴室換気乾燥暖房装置を備えることにより、より確実にフィルターのゴミ掃除できる、使用者が掃除することなく浴室内空気の吸引能力を元に戻し、常に効率のよい運転ができることにより、電気代を安くできるという効果のある浴室換気乾燥暖房装置を提供できる。
【００２５】
また、浴室内あるいはフィルター周辺の湿度を検知する湿度検知手段を備え、フィルターへの埃や塵等のゴミの湿気状態により乾燥運転時間を短縮することができることを特徴とした浴室換気乾燥暖房装置を備えることにより、無駄に乾燥運転することなくより確実にフィルターのゴミ掃除できる、使用者が掃除することなく浴室内空気の吸引能力を元に戻し、常に効率のよい運転ができることにより、電気代を安くできるという効果のある浴室換気乾燥暖房装置を提供できる。
【００２６】
また、自動掃除中は強制的に循環手段を動かない掃除中循環手段停止機能を備え、浴室内への埃や塵等のゴミの排出を防止できることを特徴とした浴室換気乾燥暖房装置を備えることにより、浴室内にゴミを吹き出さない、使用者が掃除することなく浴室内空気の吸引能力を元に戻し、常に効率のよい運転ができることにより、電気代を安くできるという効果のある浴室換気乾燥暖房装置を提供できる。
【００２７】
また、使用者が認知できる位置に自動掃除運転中であることを知らせる運転中お知らせ手段を備え、使用者に自動掃除運転運転中であることを知らせることができることを特徴とした浴室換気乾燥暖房装置を備えることにより、使用者の操作なしで自動掃除運転に移行した場合でも違和感を与えることのない、使用者が掃除することなく浴室内空気の吸引能力を元に戻し、常に効率のよい運転ができることにより、電気代を安くできるという効果のある浴室換気乾燥暖房装置を提供できる。
【発明を実施するための最良の形態】
【００２８】
本発明の請求項１記載の発明は、埃や塵等のフィルターに蓄積されたゴミを自動で掃除できる自動掃除装置を備えたものであり、浴室換気乾燥暖房装置内フィルターを自動で掃除するという作用を有する。
【００２９】
また、埃や塵等の蓄積されたゴミを一箇所に集め外に排出するゴミ排出手段を備えたものであり、自動掃除後に浴室換気乾燥暖房装置内に蓄積された埃や塵等のゴミを外に排出できるという作用を有する。
【００３０】
また、埃や塵等のフィルターに蓄積されたゴミを自動で掃除する自動掃除運転後に、浴室内の空気の換気を行う換気運転をすることにより蓄積された埃や塵等のゴミを外に排出する換気排出機能を備えたものであり、自動掃除運転後に浴室換気乾燥暖房装置内に蓄積された埃や塵等のゴミを自動で外に排出することができるという作用を有する。
【００３１】
また、埃や塵等のフィルターに蓄積されたゴミを自動で掃除する自動掃除運転に移行したら一定時間浴室内の空気の換気を行う換気運転を継続する換気継続機能を備えたものであり、ダクト配管内に埃や塵等のゴミが残らないように排出することができるという作用を有する。
【００３２】
また、浴室内の空気の換気を行う換気運転前または換気運転中に自動掃除運転に移行する自動移行機能を備えたものであり、使用者の特別な操作ないしに自動で自動掃除運転に移行することができるという作用を有する。
【００３３】
また、フィルターに埃や塵等のゴミが蓄積したことを検知するフィルター目詰まり検知手段を備えたものであり、フィルターへの埃や塵等のゴミの蓄積度合いにより自動で自動掃除運転に移行することができるという作用を有する。
【００３４】
また、浴室内の空気を循環する循環手段または浴室内の空気の換気を行う換気手段あるいは両方の動作時間を積算する機能を備えたものであり、循環手段および換気手段の動作時間を積算し、フィルター目詰まり検知手段が不要で安価に、フィルターへの埃や塵等のゴミの蓄積度合いを推定し自動で自動掃除運転に移行することができるという作用を有する。
【００３５】
また、自動掃除運転に移行する掃除運転移行手段を備えたものであり、使用者の任意で自動掃除運転に移行することができるという作用を有する。
【００３６】
また、自動掃除運転に移行する前に乾燥運転を行う自動掃除前乾燥機能を備えたものであり、湿気を含んだフィルターへの埃や塵等のゴミを乾燥させ、掃除しやすい状態にしてから自動掃除運転運転に移行することができるという作用を有する。
【００３７】
また、浴室内あるいはフィルター周辺の湿度を検知する湿度検知手段を備えたものであり、フィルターへの埃や塵等のゴミの湿気状態により乾燥運転時間を短縮することができるという作用を有する。
【００３８】
また、自動掃除中は強制的に循環手段を動かない掃除中循環手段停止機能を備えたものであり、浴室内への埃や塵等のゴミの排出を防止できるという作用を有する。
【００３９】
また、使用者が認知できる位置に自動掃除運転運転中であることを知らせる運転中お知らせ手段を備えたものであり、使用者に自動掃除運転運転中であることを知らせることができるという作用を有する。
【００４０】
以下、本発明の実施の形態について図面を参照しながら説明する。
【００４１】
（実施の形態１）
以下、本発明の実施の形態１について図１を参照しながら説明する。図１は本発明に関わる浴室換気乾燥暖房装置および設置周辺の概略構成である。
【００４２】
図に示すように、浴室換気乾燥暖房装置４は建物１の浴室２の天井裏３に設置され排気ダクト配管５が換気手段６例えばファンモータに接続されている。循環手段７例えばファンモータを動作させると浴室内空気を吸気口フィルター８より吸い込んで加熱手段９例えばヒータを通過してから送風口１０より、浴室内に循環される。浴室内の空気の換気を行う換気手段６や循環手段７および加熱手段９は制御手段１１により動作を制御する。埃や塵等のフィルターに蓄積されたゴミを自動で掃除する自動掃除装置１２、例えばモータにより回転するブラシを吸気口フィルター８付近に配置した構成である。
【００４３】
換気運転は換気手段６を動作させ、浴室内空気を吸気口フィルター８より吸い込んで排気ダクト配管５を通過して建物１の外へ排気する運転である。暖房運転は循環手段７と加熱手段９を動作させ、浴室内空気を吸気口フィルター８より吸い込んで加熱手段９を通過させることにより空気を暖め、送風口１０より浴室内に循環することにより浴室内を暖める運転である。また、乾燥運転は浴室内の空気の換気を行う換気手段６と浴室内の空気を循環する循環手段７と浴室内を加熱する加熱手段９を動作させ、浴室内を暖めながら、浴室内空気を排出することにより浴室内を乾燥する運転である。
【００４４】
上記構成において、自動掃除装置１２を制御手段１１にて動作させることにより、長時間使用したことによる吸気口フィルター８に蓄積された埃や塵等のゴミを自動で掃除することができる浴室換気乾燥暖房装置４を提供できる。
【００４５】
また、換気排出機能を備えることにより、自動掃除運転後に、浴室内の空気の換気を行う換気手段６を動作させ換気運転する。自動掃除運転により吸気口フィルター８より取り除かれたゴミを排気ダクト配管５を通して外へ排出できる。
【００４６】
また、自動掃除運転により吸気フィルター８より取り除かれたゴミを排気中に換気運転が停止すると、ゴミが排気ダクト配管５内に残ってしまう恐れがある。そこで換気継続機能を備えることにより、自動掃除運転後の浴室内の空気の換気を行う換気運転は排気ダクト配管５内にゴミが残らない程度の時間例えば１０分間は使用者の任意操作よりも優先、換気運転を継続させることにより、排気ダクト配管５内にゴミを残さず外へ排出できる。
【００４７】
また、自動移行機能を備えることにより、換気運転前または換気運転中に自動で自動お掃除運転に移行し、使用者の特別な操作ないし掃除できる浴室換気乾燥暖房装置４を提供できる。
【００４８】
（実施の形態２）
以下、本発明の実施の形態２について図２を参照しながら説明する。実施の形態１と同一部分は同一番号を附し、詳細な説明を省略する。
【００４９】
図２に示すように、自動掃除装置１２付近にゴミ排出手段１３例えば取り外しができる構造のゴミを溜めることができる箱が設けられた構成とする。
【００５０】
上記構成により、自動掃除装置１２で吸気口フィルター８に蓄積された埃や塵等のゴミを取り除き、取り除いたゴミをゴミ排出手段１３に移動させ、溜めることができる。使用者がゴミ排出手段１３を取り外し、溜められたゴミを捨てることができることにより、浴室換気乾燥暖房装置４内にゴミが溜まらない浴室換気乾燥暖房装置４を提供できる。
【００５１】
（実施の形態３）
以下、本発明の実施の形態３について図３を参照しながら説明する。実施の形態１または２と同一部分は同一番号を附し、詳細な説明を省略する。
【００５２】
図３に示すように、吸気口フィルター８付近にフィルター目詰まり検知手段１４例えば差圧センサーが設けられた構成とする。
【００５３】
上記構成により、吸気口フィルター８への塵や埃等のゴミの蓄積度合いをフィルター目詰まり検知手段１４にて検知し、自動掃除運転へ移行する浴室換気乾燥暖房装置４を提供できる。
【００５４】
また、フィルター目詰まり検知手段１４に頼らず、循環手段７または換気手段６あるいは両方の動作時間を積算する機能を備えることにより、フィルター掃除の期間の目安を１ヶ月とすれば、１ヶ月相当の浴室内の空気を循環する循環手段７や浴室内の空気を換気する換気手段６の運転時間を推定し、例えば２４時間換気機能付きの浴室換気乾燥暖房機の場合は換気手段６動作時間を７２０時間、判断することにより、自動掃除運転へ移行する浴室換気乾燥暖房装置４を提供できる。
【００５５】
（実施の形態４）
以下、本発明の実施の形態４について図４を参照しながら説明する。実施の形態１から３のいずれかと同一部分は同一番号を附し、詳細な説明を省略する。
【００５６】
図４に示すように、使用者が操作しやすい場所に、自動掃除運転に移行する掃除運転移行手段１５を備えた構成とする。使用者が操作しやすい場所、例えば浴室２内や脱衣室に自動掃除運転に移行する掃除運転移行手段１５を備えたものである。掃除運転移行手段１５としては、自動掃除運転に移行できればよく、例えばワイヤードリモコンやワイヤレスリモコンなどがある。
【００５７】
上記構成により、使用者の任意により、自動掃除運転に移行できる浴室換気乾燥暖房装置４を提供できる。
【００５８】
（実施の形態５）
以下、本発明の実施の形態５について図５を参照しながら説明する。実施の形態１から４のいずれかと同一部分は同一番号を附し、詳細な説明を省略する。
【００５９】
図５に示すように、掃除運転移行手段１５付近に湿度検出手段１６例えば相対湿度センサーなどが設けられた構成とする。図５において湿度検出手段１６は掃除運転移行手段の付近に配置したが、浴室２内の湿度あるいは吸気口フィルター８付近の湿度が検知しやすい位置ならばどこでも良いことは言うまでもない。
【００６０】
上記構成により、吸気口フィルター８に蓄積されている塵や埃等のゴミが湿気を含んでいると自動掃除装置１２により掃除する場合、効果的にゴミを取り除くことができない為、湿度検出手段１６にて浴室２内の湿度を検知し、湿度が高い場合例えば６０％以上の場合は、湿度が低くなるまで例えば４５％以下まで乾燥運転を行い、吸気口フィルター８に蓄積されている塵や埃等のゴミを乾燥させてから自動掃除運転を行うことにより、より効率の良い掃除のできる浴室換気乾燥暖房装置４を提供できる。
【００６１】
また、自動掃除運転前乾燥機能を備えることにより、自動掃除運転前には乾燥運転を行い吸気口フィルター８に蓄積されている塵や埃等のゴミが含んでいる湿気を乾燥させることでより効率の良い掃除のできる浴室換気乾燥暖房装置４を提供できる。
【００６２】
また、自動掃除装置１２により掃除された塵や埃等のゴミは循環手段７を動作させると浴室２内に排出されてしまう為、掃除中循環手段停止機能を備えることにより、自動掃除運転中は強制的に循環手段７を停止させ、浴室２内へのゴミの排出を防止できる。
【００６３】
（実施の形態６）
以下、本発明の実施の形態６について図６を参照しながら説明する。実施の形態１から５のいずれかと同一部分は同一番号を附し、詳細な説明を省略する。
【００６４】
図５に示すように、浴室換気乾燥暖房装置の外郭の浴室２内から見やすい位置に運転中お知らせ手段１７例えばＬＥＤ表示などが設けられた構成とする。
【００６５】
上記構成により、自動掃除運転中は運転中お知らせ手段１７を動作させることにより、自動移行機能にて使用者が認識していない時に自動掃除運転に移行している場合にも、違和感を与えることのない浴室換気乾燥暖房装置を提供できる。
【産業上の利用可能性】
【００６６】
本発明は浴室内空間での使用を目的として提供しているが、居住空間においても同様な効果が期待できる。
【図面の簡単な説明】
【００６７】
【図１】本発明の実施の形態１の浴室換気乾燥暖房装置の構成を示す図
【図２】本発明の実施の形態２の浴室換気乾燥暖房装置の構成を示す図
【図３】本発明の実施の形態３の浴室換気乾燥暖房装置の構成を示す図
【図４】本発明の実施の形態４の浴室換気乾燥暖房装置の構成を示す図
【図５】本発明の実施の形態５の浴室換気乾燥暖房装置の構成を示す図
【図６】本発明の実施の形態６の浴室換気乾燥暖房装置の構成を示す図
【符号の説明】
【００６８】
１    建物
２    浴室
３    天井裏
４    浴室換気乾燥暖房装置
５    排気ダクト配管
６    換気手段
７    循環手段
８    吸気口フィルター
９    加熱手段
１０  送風口
１１  制御手段
１２  自動掃除装置
１３  ゴミ排出手段
１４  フィルター目詰まり検知手段
１５  掃除運転移行手段
１６  湿度検出手段
１７  運転中お知らせ手段
【図１】
2008082603.tif 000003
【図２】
2008082603.tif 000004
【図３】
2008082603.tif 000005
【図４】
2008082603.tif 000006
【図５】
2008082603.tif 000007
【図６】
2008082603.tif 000008